(57)【要約】【課題】部品点数を削減し、簡易な構成で装置全体の小型化を図ることができる走査光学系及びそれを用いた画像形成装置を得ること。【解決手段】複数の光源手段から放射された複数の光束を、同一の光偏向器の異なる複数の偏向面で偏向走査し、該偏向走査した複数の光束で異なる複数の被走査面を各々走査する走査光学系において、該複数の光源手段の個数は４ｎ個、該複数の光束は４ｎｍ本（但し、ｎとｍは正の整数）であり、該複数の光束が該光偏向器に入射する各光束の入射光路が、該光偏向器の回転軸を含む面の副走査断面及び光偏向器の回転軸に垂直な面の主走査断面のそれぞれに対して対称であること。【選択図】    図１
2004205640.tif 000002
【特許請求の範囲】
【請求項１】
複数の光源手段から放射された複数の光束を、同一の光偏向器の異なる複数の偏向面で偏向走査し、該偏向走査した複数の光束で異なる複数の被走査面を各々走査する走査光学系において、
該複数の光源手段の個数は４ｎ個、該複数の光束は４ｎｍ本（但し、ｎとｍは正の整数）であり、
該複数の光束が該光偏向器に入射する各光束の入射光路が、該光偏向器の回転軸を含む面の副走査断面及び光偏向器の回転軸に垂直な面の主走査断面のそれぞれに対して対称であることを特徴とする走査光学系。
【発明の詳細な説明】
【０００１】
【発明の属する技術分野】
本発明は走査光学系及びそれを用いた画像形成装置に関し、特に複数の光源手段から放射した複数の光束を光偏向器としてのポリゴンミラーにより偏向させた後、ｆθ特性を有する結像光学系を介して被走査面上を光走査して画像情報を記録するようにした、例えば電子写真プロセスを有するレーザービームプリンタやデジタル複写機、マルチファンクションプリンタ（多機能プリンタ）等の画像形成装置に好適なものである。
【０００２】
【従来の技術】
従来の走査光学系の構成及び光学的作用について図１２〜図１４を用いて説明する。
【０００３】
図１２はカラー画像をプリントする画像形成装置であり、イエロー、マゼンタ、シアン、ブラックの各色に対応した４つの独立した像担持体（以下、「感光ドラム」と表記）を有する。
【０００４】
同図において２０は感光ドラムであり、導電体に感光層が塗布されており、光学箱２１に収納された走査光学部から射出された光束により静電潜像を形成している。走査光学部は画像読取装置(不図示)もしくはパーソナルコンピュータ(不図示)等から送られてきた画像情報に基づいて複数の光束を射出している。２２は現像器であり、感光ドラム２０上に摩擦帯電されたトナーで該感光ドラム２０上にトナー像を形成している。２３は中間転写ベルトであり、感光ドラム２０上のトナー像を転写用紙に搬送している。２４は給紙カセットであり、トナー像を形成する用紙を格納している。２５は定着器であり、用紙上に転写されたトナー像を熱により用紙に吸着させている。２６は排紙トレイであり、定着された転写用紙を積載している。２７はクリーナーであり、感光ドラム２０上に残ったトナーを清掃している。
【０００５】
画像形成は走査光学部から画像情報に基づいて射出した４つの光束を各々対応する感光ドラム上を照射することにより、帯電器により帯電された感光ドラム上に静電潜像を各々形成する。その後、現像器２２内で摩擦帯電されたトナーを静電潜像に付着させることで感光ドラム２０上にトナー像を形成する。トナー像は感光ドラム上から中間転写ベルト２３上に転写され、本体下部に設けられた給紙カセット２４から搬送された用紙にトナー像を再度転写することで画像が用紙上に形成される。用紙上に転写された画像は定着器２５によりトナーを定着され排紙トレイ上に積載される。
【０００６】
図１３は図１２に示した走査光学系の副走査断面図である。同図においては偏向手段としてのポリゴンミラー２８に対して２つの走査グループＳ１，Ｓ２が左右対称で構成されており、その２つの走査グループＳ１，Ｓ２の光学的作用は同一の為、以下図面上、右半分の走査グループＳ１に対して説明する。
【０００７】
同図における走査光学系は画像情報に基づいて射出した複数の光束を偏向走査するポリゴンミラー２８、光束を等速走査および感光ドラム上でスポット結像させる第１、第２の２枚のｆθレンズ２９、３０、光束を所定の方向へ反射する複数の反射ミラー３１ａ〜３１ｄ、走査光学部を埃から保護するための防塵ガラス３２を経て感光ドラム２０ａ，２０ｂ面へ各々導光し、該感光ドラム２０ａ，２０ｂ面上で静電潜像を形成する。
【０００８】
近年、走査光学系は、画像形成装置のコンパクト化に伴い、図１３に示すように１台のポリゴンミラー（ポリゴンモータユニット）で4つの感光ドラムを走査露光する方式が使用されるように成ってきた。この方式はポリゴンミラーのそれぞれ対向面に複数の光束を照射する２つの走査グループＳ１，Ｓ２を有している。
【０００９】
２つの走査グループＳ１，Ｓ２はポリゴンミラー２８の偏向面(反射面)に上下に所定距離平行シフトさせた２つの光束を入射させ偏向走査している。またこの上下２光路の２つの光束Ｅ１，Ｅ２をそれぞれ感光ドラム２０ａ，２０ｂ上に結像させるため第１、第２の２枚のｆθレンズ２９、３０を設けている。第１、第２のｆθレンズ２９、３０はそれぞれ同一レンズ面を上下２段に有する。その製造は２枚のレンズを張り合わせる、もしくはモールドレンズとして一体成型で製造される。
【００１０】
しかしながら上記のような従来例において以下のような課題を有する。
【００１１】
第1の課題は、従来は複数の光源から光偏向器に至る光路上に、それぞれの光束に対して独立に光学部品を有するために部品点数が多く、更なるコストダウンを図る上で部品点数を削減する事が課題となっていた。
【００１２】
前記図１３では走査光学系を２段に重ねた事例が示されているが、該上下２段の走査光学系は各々の光路に対してレーザ光を偏向走査する偏向面が必要で分厚いポリゴンミラー、もしくは２段構成のポリゴンミラーが使用されている。この方式では大型のポリゴンミラーを駆動するモータの負荷が大きくなる傾向がある。
【００１３】
これに対しポリゴンミラーを薄型化した使用する斜入射走査光学系を提案されている。この方式は図１４に示すように副走査断面内でポリゴンミラーに対して各レーザ光をそれぞれ異なる角度で入射させることでポリゴンミラーを薄型化させている。このように副走査断面内でポリゴンミラーに対して各レーザ光をそれぞれ異なる角度で入射させる走査光学系を一般に斜入射系と呼ばれる。図１４においては各レーザ光がポリゴンミラーで偏向走査された後に共通のｆθレンズ３５、３６を透過し、それぞれ２枚の折り返しミラーと１枚の凹面ミラー３４ｂ、３４ｅを経由して感光ドラムに照射される。
【００１４】
この斜入射系を用いた走査光学系は種々と提案されている（例えば特許文献１，２，３参照）。
【００１５】
特許文献１では光偏向器より前側のシリンドリカルレンズが別々に設けられ、光学素子の更なる部品点数の削減、コストダウンについての議論は不十分である。一方、特許文献２ではシリンダーレンズを共通に用いる事例が示されているが、シリンダーレンズの光軸に対して偏心した部分に光線を通すため、シリンダーレンズの球面収差の影響が心配される。
【００１６】
第２の課題として、斜入射系では光偏向器で偏向された光束を光偏向器から被走査面の間で分離する方法が問題となる。特許文献３ではその方策として偏向面に上側から入射した光束と、下側から入射した光束が偏向面上で離隔するように構成し、光偏向器以後の光路分離を容易させた方法が示されている。しかしながら特許文献３では光偏向器より光源手段側の光学系が窮屈な配置となってしまう。このため光偏向器から光源手段を遠ざけ十分な空間を確保しなければならず、小型化の障害となっていた。
【特許文献１】
特開平２−５８０１４号公報
【特許文献２】
特開平９−２５８１２６号公報
【特許文献３】
特開平１１−１１９１３１号公報
【００１７】
【発明が解決しようとする課題】
本発明は部品点数の削減を図り、かつ簡易な構成で装置全体の小型化を図ることができる走査光学系及びそれを用いた画像形成装置の提供を目的とする。
【００１８】
【課題を解決するための手段】
本発明の走査光学系は、
複数の光源手段から放射された複数の光束を、同一の光偏向器の異なる複数の偏向面で偏向走査し、該偏向走査した複数の光束で異なる複数の被走査面を各々走査する走査光学系において、
該複数の光源手段の個数は４ｎ個、該複数の光束は４ｎｍ本（但し、ｎとｍは正の整数）であり、
該複数の光束が該光偏向器に入射する各光束の入射光路が、該光偏向器の回転軸を含む面の副走査断面及び光偏向器の回転軸に垂直な面の主走査断面のそれぞれに対して対称であることを特徴としている。
【００１９】
【発明の実施の形態】
［実施形態１］
図１、図２は各々本発明の走査光学系の実施形態１の要部断面図である。図１は光偏向器から感光ドラム面までの走査光学系の副走査方向の要部断面図（副走査断面図）、図２は光源手段から光偏向器までの走査光学系の副走査断面図である。
【００２０】
ここで、主走査方向とは光偏向器の回転軸及び結像光学系の光軸に垂直な方向（光偏向器で光束が反射偏向（偏向走査）される方向）を示し、副走査方向とは光偏向器の回転軸と平行な方向を示す。また主走査断面とは主走査方向に平行で結像光学系の光軸を含む平面を示す。また副走査断面とは主走査断面と垂直な断面を示す。
【００２１】
本実施形態において複数の光源手段から射出された複数の光束は２つの走査グループＳ１，Ｓ２に分割されている。この２つの走査グループＳ１，Ｓ２は光偏向器としてのポリゴンミラー５に対して左右対称で構成されており、該２つの走査グループＳ１，Ｓ２の光学的作用は同一の為、以下図面上、右半分の走査グループＳ１に対して説明する。
【００２２】
図１において、５は光偏向器であり、例えばポリゴンミラー（回転多面鏡）より成っており、モータ等の駆動手段（不図示）により一定速度で回転している。８ａ，８ｂは各々感光ドラムであり、導電体に感光層が塗布されており、光学箱９に収納された走査光学部から射出された光束により静電潜像を形成している。
【００２３】
本実施形態では副走査断面内に各要素と各光束を投影したとき、２つの光束は、ポリゴンミラー５の偏向面に対して所定の角度で斜入射している（斜入射走査光学系）。
【００２４】
６ａは第１の結像レンズであり、主に主走査方向に屈折力（パワー）を有するアナモフィック非球面レンズより成り、２以上の光束が入射する。この第１の結像レンズ６ａのレンズ面形状は既知の関数表現で示すことができる非球面形状である。副走査方向に対してはノンパワーもしくは略ノンパワーであり、例えば両面が副走査方向にフラットなシリンダー形状より成っている。第１の結像レンズ６ａは入射した光束に対し主に主走査方向の結像及び等速走査を担当することになる。
【００２５】
６ｂ１，６ｂ2は各々第２の結像レンズであり、主に副走査方向にパワーを持つアナモフィック非球面レンズより成り、主走査方向のレンズ面形状は既知の関数表現で示すことができる非球面形状である。主走査方向に対しては略ノンパワーである。第２の結像レンズ６ｂ１，６ｂ2は各々入射した光束に対し主に副走査方向の結像及び主走査方向の若干の歪曲収差の補正を担当することになる。
【００２６】
本実施形態では第１の結像レンズ６ａと第２の結像レンズ６ｂ１で第１の結像光学系を構成しており、また第１の結像レンズ６ａと第２の結像レンズ６ｂ２で第２の結像光学系を構成している。第１、第２の結像光学系は各々ポリゴンミラー５によって反射偏向された画像情報に基づく光束Ｅ１，Ｅ２を被走査面としての感光ドラム８ａ，８ｂ面上に結像させ、かつ副走査断面内においてポリゴンミラー５の偏向面と感光ドラム８ａ，８ｂ面上との間を共役関係にすることにより、倒れ補正機能を有している。
【００２７】
７ａ，７ｂは各々順に第１、第２の反射ミラーであり、光束Ｅ２の光路中に設けられており、光束を所定の方向へ反射させている。７ｃは第３の反射ミラーであり、光束Ｅ１の光路中に設けられており、光束を所定の方向へ反射させている。
【００２８】
図２において、１ａ，１ｂは各々光源手段であり、例えば半導体レーザより成っている。３ａ，３ｂは各々開口絞りであり、光源手段１ａ，１ｂより放射された２つの光束（光量）を制限している。２ａ，２ｂは各々集光レンズ（コリメーターレンズ）であり、開口絞り３ａ，３ｂで制限された２つの光束を略平行光束（もしくは発散光束もしくは収束光束）に変換している。光源手段１ａ，１ｂ、開口絞り３ａ，３ｂ、コリメーターレンズ２ａ，２ｂ等の各要素は副走査断面内で上下に並べられ、偏向面上に主走査断面に対して所望の角度±θとなる光路上に配置されている。
【００２９】
４は複合結像素子であり、光学素子としてのシリンダーレンズ（シリンドリカルレンズ）４ａ、４ｂが一体的に構成されており、光源手段１ａ，１ｂとポリゴンミラー５との間に設けられている。本実施形態におけるシリンダーレンズ４ａ，４ｂは副走査断面内のみにパワー（焦点距離Fs）を有するアナモフィックなレンズより成り、光束毎に設けられており、コリメーターレンズ２ａ，２ｂを通過した光束を各々副走査断面内でポリゴンミラー５の偏向面（ポリゴンミラー面）５ａ又はその近傍にほぼ線像として結像させている。またシリンダーレンズ４ａ，４ｂは各々入射面がシリンダー形状（アナモフィックな面）、出射面が平面形状で形成されている。本実施形態では複合結像素子４上で副走査断面内における各シリンダーレンズ４ａ、４ｂの光軸間の間隔を距離２Ｌだけ離して構成している。
【００３０】
尚、開口絞り３ａ，３ｂ、コリメーターレンズ２ａ，２ｂ、シリンダーレンズ４ａ、４ｂ等の各要素は入射光学系の一要素を構成している。
【００３１】
本実施形態における走査光学系は上記の如く斜入射走査光学系である。斜入射走査光学系とは図２に示すよう副走査断面（紙面に対して平行な面）内で、ポリゴンミラー４の回転軸に垂直な面（主走査断面）に対し斜め方向から光束を入射させる光学系である。このように斜め入射させることで、複数の光束はポリゴンミラー５を射出した後方で上下の各光路を分離しやすくすることができる。
【００３２】
本実施形態の走査光学系の作用は以下のようになる。
【００３３】
本実施形態において画像情報に応じて半導体レーザ１ａ，１ｂから光変調され放射した光束は開口絞り３ａ，３ｂによって該光束を制限して（光束の光量を制限して）、コリメーターレンズ２ａ，２ｂによって略平行光束に変換され、シリンダーレンズ４ａ，４ｂに入射する。シリンダーレンズ４ａ，４ｂに入射した略平行光束のうち主走査断面内においてはそのままの状態で射出する。また副走査断面内においては収束して光偏向器（ポリゴンミラー）５の偏向面５ａ又はその近傍にほぼ線像（主走査方向に長手の線像）として結像している。
【００３４】
そしてポリゴンミラー５の偏向面５ａに入射した２つの光束Ｅ１，Ｅ２は主走査断面内に対して角度±θをもって反射され、偏向走査される。その後、２つの光束Ｅ１，Ｅ２は共通の第１の結像レンズ６ａに入射する。第１の結像レンズ６ａを通過した２つの光束Ｅ１，Ｅ２は第１の反射ミラー７ａにより各光路に分離される。第１の反射ミラー７ａによって反射された光束Ｅ２は第２の結像レンズ６ｂ２を通過後、第２の反射ミラー７ｂによって図面上、上方に反射し、空間内で自身の光路と交差する。第１、第２の反射ミラー７ａ，７ｂで折り返されることで別の光束Ｅ１の光路と２回交差して感光ドラム８ｂに達する。
【００３５】
一方、光束Ｅ１の光路では第１の結像レンズ６ａを通過した光束Ｅ１は第１の反射ミラー７ａの脇を通過し、光束Ｅ２と光路が分離される。そして光束Ｅ１は第２の結像レンズ６ｂ１を通過後、第３の反射ミラー７ｃによって図面上、上方に反射し、感光ドラム７ａに達する。
【００３６】
本実施形態における第１の結像レンズ６ａは２つの光束Ｅ１,Ｅ２で共用され、第２の結像レンズ６ｂ１，６ｂ２は光束Ｅ１,Ｅ２にそれぞれ用いられる。光束Ｅ２の光路では、第１の反射ミラー７ａは、図１で感光ドラム８ｂに向かう光路より右、即ちポリゴンミラー５とは反対の方向に設けられている。また第１の反射ミラー７ａは図１の上下方向において、ポリゴンミラー５よりも感光ドラム８ａ，８ｂ側に設けられている。即ち、第２の反射ミラー７ｂと感光ドラム８ａ，８ｂとの間の空間内に設けられている。また第１の反射ミラー７ａに入射した光束Ｅ２は感光ドラム８ａ，８ｂから離れる方向（感光ドラム８ａ，８ｂと反対方向）、かつポリゴンミラー５に近付く方向に反射される。
【００３７】
第２の反射ミラー７ｂは図１に示すようにポリゴンミラー５と第１の反射ミラー７ａとの間の空間内に設けられており、入射した光束Ｅ２を感光ドラム８ｂに向けて反射する構成より成っている。この構成により、光路を空間的にオーバーラップして利用することができ、またミラーの使用枚数を従来の装置より減少させて装置全体をコンパクトに構成している。
【００３８】
また本実施形態では第１の反射ミラー７ａと第２の反射ミラー７ｂとの間に第２の結像レンズ６ｂ２を設けたことにより、第１の反射ミラー７ａと第２の反射ミラー７ｂとの間に生じた空間を有効に使うことができ、これにより装置全体をコンパクトに構成している。
【００３９】
［入射光学系の光学配置］
次に図２に示した光源手段からポリゴンミラーまでの入射光学系の光学配置について、図３、図４を用いて説明する。図３は図２の主走査方向の要部断面図（主走査断面図）、図４は複合結像素子の正面図である。尚、図３の光源手段１ｃ、開口絞り３ｃ、コリメーターレンズ２ｃ、シリンダーレンズ４ｃは図２では光源手段１ａ、開口絞り３ａ、コリメーターレンズ２ａ、シリンダーレンズ４ａの向こう側に配置されていたため、図２では表記されていない。逆に図２の光源手段１ｂ、開口絞り３ｂ、コリメーターレンズ２ｂ、シリンダーレンズ４ｂは図３では光源手段１ａ、開口絞り３ａ、コリメーターレンズ２ａ、シリンダーレンズ４ａの向こう側に配置されていたため、図３では表記されていない。
【００４０】
本実施形態では図２に示すようにシリンダーレンズ４ａ，４ｂから距離Ｘ離れた位置Ｓｏで光源手段１ａ，１ｂから放射した２本の光束Ｅ１，Ｅ２の光路をクロスさせ、ポリゴンミラー５の偏向面５ａ近傍の位置（結像位置）Ｓａ，Ｓｂに線像を形成している。
【００４１】
図２から明らかなようにシリンダーレンズ４ａ，４ｂの副走査断面内における光軸間の距離２Ｌはコリメーターレンズ２ａ，２ｂの副走査断面内における光軸間の距離よりも狭く、シリンダーレンズ４ａ，４ｂを各々独立して配置することが困難である。
【００４２】
そこで本実施形態では上記の如く副走査断面内でシリンダーレンズ４ａ，４ｂを一体的に構成し、複合結像素子４として構成することによって上記の問題点を解決している。この複合結像素子４の製造方法は成形型を用いて射出成形等の成形手法で同時に製造される。これにより狭い空間に複数の光学機能部品を高精度に配置することができる。さらには同時成形によりコストダウンも期待できる。
【００４３】
図３では光源手段１ａより放射した光束が矢印Ａ方向に回転するポリゴンミラー５によって偏向走査される。走査上流にあたる一部の光束（ＢＤ光束）ＢＤを同期検知光学素子としての結像レンズ（ＢＤレンズ）１０を通じて同期検知用のスリット（ＢＤスリット）１１近傍に集光し、同期検知用の受光素子（ＢＤセンサー）１２に導いている。これは所謂同期検知光学系（ＢＤ光学系）である。ＢＤセンサー１２は感光ドラム面上において主走査方向の走査光束の書き出しタイミングを決めるために既知の機能を有している。
【００４４】
図３では光源手段１ａに対してのみＢＤ光学系が設けられた構成である。各光源手段に対してＢＤ光学系をもつ構成に対して、本実施形態では１つの光源手段１ａにのみについてＢＤ光学系を持ち、他の光源手段は光源手段１ａとの相対的な時間差分を遅延させて駆動する方法が取られている。このようにＢＤ光学系を省略することで装置全体を簡易に構成することができる。
【００４５】
さらに図３では主走査断面内で上下に並んだシリンダーレンズ４ａ，４ｃを一体的に構成している。前述したようにシリンダーレンズ４ａ，４ｂは副走査断面内においても一体的に構成されているので、シリンダーレンズ４ａ〜４ｄは図４に示すような構成の複合結像素子４となる。この複合結像素子４の製造方法は前述の如く成形型を用いて射出成形等の成形手法で同時に製造される。
【００４６】
本実施形態では４本の光束がポリゴンミラー５の偏向面に入射する各光束の入射光路が、該ポリゴンミラー５の回転軸を含む面の副走査断面及び該ポリゴンミラー５の回転軸に垂直な面の主走査断面のそれぞれに対して、対称と成るように構成している。また本実施形態では複数の光束がポリゴンミラー５の偏向面に入射するときの各光束間の相対角度を主走査断面と副走査断面で異なるように構成している。
【００４７】
また本実施形態におけるシリンダーレンズ４ａ〜４ｄはそれぞれの光軸が、直交する２つの平面（主走査、副走査断面）のそれぞれに対し対称となるように配置されている。
【００４８】
即ち、図２〜図４から分かるように４つの光源手段１ａ〜１ｄから放射された４つの光束は同一のポリゴンミラー５の異なる複数の偏向面で同時に偏向走査され、異なる複数の被走査面としての感光ドラム面上を走査している。そして光源手段１ａ〜１ｄから放射された４つの光束がポリゴンミラー５に入射するときの各光束の入射光路がポリゴンミラーの回転軸を含む面の副走査断面およびポリゴンミラーの回転軸に垂直な面の主走査断面内のそれぞれに対して対称となっている。さらに本実施形態では光源手段１ａ〜１ｄから放射された４つの光束がポリゴンミラー５の偏向面に入射するとき、図３に示す主走査断面内では各光束間が相対的に平行であり、図２に示す副走査断面内では各光束間の相対角度が２θであり、非平行となっている。
【００４９】
尚、本実施形態では４つの光源手段１ａ〜１ｄから各々１本ずつ計４本の光束が放射される形態をとっているが、これに限定されるのもではない。例えば４つの光源手段１ａ〜１ｄを各々１チップからｍ本の光束が放射されるモノリシックなマルチレーザ光源に置き換えたり、ｎ個のレーザチップとビーム合成系からなる既知のマルチレーザ光源に置き換えたりしてもよい。このような多光源化を図ることで高速で４色同時に書き込みをする事が可能になる。このとき光束は数はトータルで4ｎｍ本（但し、ｎとｍは正の整数）になる。
【００５０】
本実施形態において複合結像素子４を構成する１つのシリンダーレンズの副走査断面における焦点距離をＦｓ、複合結像素子４の副走査断面におけるシリンダーレンズの光軸間の相対角度を２θ、複合結像素子４上での副走査断面におけるシリンダーレンズの光軸間の距離を２Ｌ、２本の光束の光路がクロスするポイントＳｏから複合結像素子４までの距離をＸとしたとき、
Ｘ＝Ｌ／ｓｉｎθ
であり、
０．７＜Ｘ／Ｆｓ＝（Ｌ／ｓｉｎθ）／Ｆｓ＜１．３    ‥‥（１）
なる条件を満足するように各要素を構成している。
【００５１】
例えばＸ／Ｆｓ＝１のとき、位置Ｓａ、Ｓｂが一致し、ポリゴンミラー５の高さを極小にすることができる。上記条件式（１）の範囲であれば、ポリゴンミラー５の高さは十分使用に耐えうるが、この範囲を越えてしまうとポリゴンミラー５の高さが大きくなり、またコストアップや駆動モータの負荷が増大するなどの問題点が生じてくるので良くない。
【００５２】
尚、更に好ましくは上記条件式（１）を
０．８５＜（Ｌ／ｓｉｎθ）／Ｆｓ＜１．１５    ‥‥（１ａ）
とするのが良い。
【００５３】
本実施形態では図４に示す如くシリンダーレンズ４ａ，４ｂが一体となって第１の複合結像素子４ａｂを構成しており、ポリゴンミラー５の一方の偏向面５ａに２本の光束を入射させている。またシリンダーレンズ４ｃ，４ｄが一体となって第２の複合結像素子４ｃｄを構成しており、ポリゴンミラー５の他方の偏向面５ｃに２本の光束を入射させている。そしてポリゴンミラー５の回転に伴い、４本の光束を同時に偏向走査し異なる複数の被走査面を走査することを可能としている。そして第1、第２の複合結像素子が一体となって複合結像素子４を構成している。
【００５４】
シリンダーレンズ４ａ，４ｃは主走査方向に離間して配置された同一形状のシリンダー面を有するので、連続したシリンダー面として構成することが可能である。この場合、同時加工した鏡面ゴマによって一体形成すればよい。もちろん、別々の鏡面ゴマで別々の面として構成するこのも可能である。シリンダーレンズ４ｂ，４ｄも同様である。
【００５５】
尚、シリンダーレンズのシリンダー形状は円弧によるものに限られるものではなく、非球面形状でも良い。また出射面も平面形状に限定されるのもではなく、入射面形状と相互にベンディンクさせた形状とし、結果的に所望の主走査、副走査方向のパワーを有するように構成しても良い。
【００５６】
［実施形態２］
図５は本発明の実施形態２の光源手段から光偏向器までの走査光学系の副走査断面図である。図５において図２に示した要素と同一要素には同符番を付している。
【００５７】
本実施形態において前述の実施形態１と異なる点は複数の光束の光路のクロスポイントＳｏを位置Ｓａ，Ｓｂよりも光学的に後方（反光源手段側）になるように各要素を設定したことである。その他の構成および光学的作用は実施形態１と略同様であり、これにより同様な効果を得ている。
【００５８】
即ち、本実施形態においてはシリンダーレンズ４ａ，４ｂにより入射した略平行光束を副走査断面内において絞って、該シリンダーレンズ４ａ，４ｂから距離Ｘ離れたクロスポイントＳｏで２本の光束の光路をクロスさせ、ポリゴンミラー５の偏向面５ａ近傍の位置Ｓａ、Ｓｂに線像を形成している。
【００５９】
尚、本実施形態においては副走査断面内に並べた２本の光束の光路について示したが、もちろん前述の実施形態１の図３に示したように更に主走査断面内に並べて４本の光束の光路を取り得る構成にしても良い。
【００６０】
［実施形態３］
図６は本発明の実施形態３の光源手段から光偏向器までの走査光学系の副走査断面図である。図６において図２に示した要素と同一要素には同符番を付している。
【００６１】
本実施形態において前述の実施形態１と異なる点は、コリメーターレンズとシリンダーレンズの機能を複合結像素子２４を構成する光学素子としてのアナモフィックレンズ１４ａ，１４ｂに併せ持たせたことと、副走査断面内でアナモフィックレンズ１４ａ，１４ｂの光軸と、偏向面の法線との成す角α１、α２を各アナモフィックレンズ１４ａ，１４ｂ間で互いに異ならせたことである。その他の構成および光学的作用は実施形態１と略同様であり、これにより同様な効果を得ている。
【００６２】
即ち、同図において４は光源手段１ａ，１ｂとポリゴンミラー５との間に設けた複合結像素子であり、コリメーターレンズとシリンダーレンズの機能を併せ持ったアナモフィックレンズ１４ａ，１４ｂより成り、該アナモフィックレンズ１４ａ，１４ｂは各々光束毎に設けられており、副走査断面内で異なる角度α１、α２の光軸を有しており、ポリゴンミラー５の偏向面５ａ又はその近傍に線像を形成している。
【００６３】
またアナモフィックレンズ１４ａ，１４ｂは各々入射面が回転対称の球面形状、出射面がシリンダー形状を有し、主走査、副走査断面内でのパワーが互いに異なる。光源手段１ａ，１ｂ、絞り３ａ，３ｂ、アナモフィックレンズ１４ａ，１４ｂは副走査断面内で上下に並べられている。
【００６４】
本実施形態におけるアナモフィックレンズ１４ａ，１４ｂは光源手段１ａ，１ｂから放射された光束を入射面側で略平行光束に変換し、出射面側で各々の略平行光束を副走査方向に絞って、途中のクロスポイントで２本の光束の光路をクロスさせ、ポリゴンミラー５の偏向面５ａ近傍の位置Ｓａ、Ｓｂに線像を形成している。
【００６５】
本実施形態では副走査断面内でアナモフィックレンズ１４ａ，１４ｂを一体的に構成し、複合結像素子１４を構成している。この複合結像素子１４の製造方法は成形型を用いて射出成形等の成形手法で同時に製造される。
【００６６】
尚、本実施形態においては副走査断面内に並べた２本の光束の光路について示したが、もちろん前述の実施形態１の図３に示したように更に主走査断面内に並べて４本の光束の光路を取り得る構成にしても良い。
【００６７】
またアナモフィックレンズ１４ａ，１４ｂの入射面と出射面は回転対称の球面形状、シリンダー形状に限られるものではなく、非球面形状でもよく、また入射面の形状と出射面の形状を相互にベンディンクさせた形状とし、結果的に所望の主走査、副走査断面内でパワーを有するように構成しても良い。
【００６８】
［実施形態４］
図７は本発明の実施形態３の入射光学系の要部概略図である。図７において図２、図４に示した要素と同一要素には同符番を付している。
【００６９】
本実施形態において前述の実施形態１と異なる点は、光源手段１ａ〜１ｄから放射された４つの光束をポリゴンミラー５の１つの偏向面５ａに入射するように構成したことである。その他の構成および光学的作用は実施形態１と略同様であり、これにより同様な効果を得ている。
【００７０】
即ち、同図において４は複合結像素子であり、光源手段（不図示）とポリゴンミラー５との間に設けられており、それぞれの光束毎に設けられた４つのシリンダーレンズ４ａ〜４ｄが一体的に構成されており、コリメーターレンズ２ａ〜２ｄを通過した４本の略平行光束を副走査断面内で光偏向器５の同一の偏向面５ａ又はその近傍にほぼ線像として結像させている。
【００７１】
尚、簡潔に記す為、４つの光源手段及び４つの開口絞りは省略しているが、これらの要素は前記図２、図３に示すように設けられている。
【００７２】
本実施形態におけるシリンダーレンズ４ａ，４ｂとシリンダーレンズ４ｃ、４ｄの光軸は主走査方向および副走査方向に相対的に角度を持って対称に配置されている。本実施形態では４つのシリンダーレンズ４ａ〜４ｄを一体的に構成し、複合結像素子４を構成している。この複合結像素子４の製造方法は成形型を用いて射出成形等の成形手法で同時に製造される。
【００７３】
本実施形態では光源手段１ａ〜１ｄから放射された４つの光束が複合結像素子４を介して、ポリゴンミラー５の同一の偏向面５ａに入射するように構成している。各光束の入射光路はポリゴンミラーの回転軸を含む面の副走査断面およびポリゴンミラー５の回転軸に垂直な面の主走査断面のそれぞれに対して対称となっている。
【００７４】
尚、本実施形態では各光束間の相対角度を主走査方向と副走査方向とで異ならせたが、必ずしもこれに限らず、主走査方向と副走査方向の相対角度を同じにしても良い。
【００７５】
また本実施形態では４つの光源手段１ａ〜１ｄからそれぞれ１本ずつ計４本の光束が放射される形態をとっているが、これに限定されるのもではない。例えば４つの光源手段１ａ〜１ｄをそれぞれ１チップからｍ本のビームが放射されるモノリシックなマルチレーザ光源に置き換えたり、ｎ個のレーザチップとビーム合成系からなる既知のマルチレーザ光源に置き換えたりしてもよい。このような多光源化を図ることで、高速で４色同時に書き込みをすることが可能になる。このとき光束はトータルで4ｎｍ本（但し、ｎとｍは正の整数）になる。
【００７６】
また本実施形態では前述の実施形態３と同様にコリメータ機能と線像形成機能を併せ持つアナモフィックレンズを４つ並べて複合結像素子を構成しても良い。
【００７７】
［実施形態５］
図８〜図１０は各々本発明の走査光学系の実施形態５の要部断面図である。図８は光源手段から光偏向器までの入射光学系の主走査断面図、図９は光源手段から光偏向器までの入射光学系の副走査断面図、図１０は複合結像素子の正面図である。図８〜図１０において図２〜図４に示した要素と同一要素には同符番を付している。尚、図９では各光源手段を簡単にするため発光点のみ、さらに光路は主光線のみで表示している。
【００７８】
本実施形態において前述の実施形態１と異なる点は、ＢＤレンズ４ｅと４つのシリンダーレンズ４ａ〜４ｄとを一体的に構成し、複合結像素子２４を構成した点、また主走査断面内において２本の光束の入射光路を非平行としたことである。その他の構成および光学的作用は実施形態１と略同様であり、これにより同様な効果を得ている。
【００７９】
即ち、同図において２４は複合結像素子であり、４つのシリンダーレンズ４ａ〜４ｄとＢＤレンズ４ｅとが一体的に構成されている。本実施形態における各シリンダーレンズ４ａ〜４ｄは各々副走査断面内のみにパワー（焦点距離Fs）を有するアナモフィックなレンズより成り、副走査方向の光軸間の間隔が距離２Ｌ離れて構成されている。また各シリンダーレンズ４ａ〜４ｄは各々入射面がシリンダー形状、出射面が平面形状で形成されている。
【００８０】
ＢＤレンズ４ｅは図１０に示すように副走査断面内において、複合結像素子２４を構成するシリンダーレンズ４ｂ，４ｄと離隔して構成されている。
【００８１】
［入射光学系の光学配置］
次に光源手段からポリゴンミラーまでの入射光学系の光学配置について図８、図９を用いて説明する。
【００８２】
尚、図８の光源手段１ｃ、開口絞り３ｃ、コリメーターレンズ２ｃ、シリンダーレンズ４ｃは図９では光源手段１ａ、開口絞り３ａ、コリメーターレンズ２ａ、シリンダーレンズ４ａの向こう側に配置されていたため、図９では表記されていない。逆に図９の光源手段１ｂ、開口絞り３ｂ、コリメーターレンズ２ｂ、シリンダーレンズ４ｂは図８では光源手段１ａ、開口絞り３ａ、コリメーターレンズ２ａ、シリンダーレンズ４ａの向こう側に配置されていたため、図８では表記されていない。
【００８３】
本実施形態では図８に示すように光源手段１ａ，１ｃから放射した２本の光束の光路が互いに非平行と成るように構成している。尚、光源手段１ｂ，１ｄから放射した２本の光束の光路も同様である。
【００８４】
図８に示すシリンダーレンズ４ａ，４ｃは主走査断面内においても一体的に構成されているので、シリンダーレンズ４ａ〜４ｄは図１０に示すような構成の複合結像素子２４となる。この複合結像素子２４の製造方法は成形型を用いて射出成形等の成形手法で同時に製造される。
【００８５】
図８に示すように光源手段１ａ，１ｃとＢＤセンサー１２は同一基板１３上に設けられている。これにより本実施形態では部品点数の削減とコンパクト化、コストダウンを可能としている。尚、光源手段１ａ，１ｃとＢＤセンサー１２を各々別々に構成しても良い。
【００８６】
図８から分かるように光源手段１ａ，１ｃからポリゴンミラー５までの距離とポリゴンミラー５からＢＤセンサー１２までの距離を比べると後者の方が長い。よって図９に示すように同一平面内に各要素を射影した光路ではＢＤ光路の方が図面上、下方に位置する。そこで本実施形態では図１０に示すようにＢＤレンズ４ｅをシリンダ−レンズ４ｂ，４ｄよりΔだけ高さ方向にシフトした位置に配置している。
【００８７】
また本実施形態では図９に示すようにポリゴンミラー５に入射する上下２本の光束の光路がポリゴンミラー５上でクロスするように設定している。例えば図２や図５のようにポリゴンミラー５上で上下２本の光束が離間している場合は、この離間量に相当する分だけΔを調節して、ＢＤ光束の光路上にＢＤレンズ４ｅが配置するようにすれば良い。
【００８８】
［画像形成装置］
図１１は本発明の前述した実施形態１〜５の走査光学系を用いた画像形成装置（電子写真プリンタ）の実施形態を示す副走査断面図である。
【００８９】
イエロー、マゼンタ、シアン、ブラックの各色に対して独立した像担持体101（以下、感光ドラムと表記）を持つ。
【００９０】
図１１において、符号104は画像形成装置を示す。この画像形成装置104には、パーソナルコンピュータ等の外部機器117からコードデータＤｃが入力する。このコードデータＤｃは、装置内のプリンタコントローラ118によって、画像データ（ドットデータ）Ｄｉに変換される。この画像データＤｉは、前記各実施形態１〜５で示した構成を有する光走査ユニット100に入力される。そして、この光走査ユニット（走査光学系）100からは、画像データＤｉに応じて、各色ごとに変調された光ビーム（光束）103が射出され、この光ビーム103によって感光ドラム101の感光面が主走査方向に走査される。
【００９１】
静電潜像担持体（感光体）たる感光ドラム101は、不図示モータによって回転させられる。そして、この回転に伴って、感光ドラム101の感光面が光ビーム103に対して、主走査方向と直交する副走査方向に移動する。感光ドラム101の上方には、感光ドラム101の表面を一様に帯電せしめる帯電ローラ102が表面に当接するように設けられている。そして、帯電ローラ102によって帯電された感光ドラム101の表面に、前記光走査ユニット100によって走査される光ビーム103が照射されるようになっている。
【００９２】
先に説明したように、光ビーム103は、画像データＤｉに基づいて各色ごとに変調されており、この光ビーム103を照射することによって感光ドラム101の表面に静電潜像を形成せしめる。この静電潜像は、上記光ビーム103の照射位置よりもさらに感光ドラム101の回転断面内における下流側で感光ドラム101に当接するように配設された現像器107によってトナー像として現像される。
【００９３】
現像器107によって現像されたトナー像は、感光ドラム101の下方で、感光ドラム101に対向するように配設された第1の転写ローラ（転写器）108aによって中間転写体である転写ベルト109に転写される。同様に他の3色についても転写ベルト109に画像が形成され、4色が合成された画像が転写ベルト109に掲載される。更に第2の転写ローラ（転写器）108bによっての被転写材たる用紙110上に転写される。用紙110は光走査ユニット100の下方の用紙カセット111内に収納されている。用紙カセット111端部には、給紙ローラ112が配設されており、用紙カセット111内の用紙110を搬送路へ送り込む。
【００９４】
以上のようにして、未定着トナー像を転写された用紙110はさらに定着器へと搬送される。定着器は内部に定着ヒータ（図示せず）を有する定着ローラ113とこの定着ローラ113に圧接するように配設された加圧ローラ114とで構成されており、転写部から撒送されてきた用紙110を定着ローラ113と加圧ローラ114の圧接部にて加圧しながら加熱することにより用紙110上の未定着トナー像を定着せしめる。更に定着器の後方には排紙ローラ115が配設されており、定着された用紙110を画像形成装置の外の排紙トレー116上に排出せしめる。
【００９５】
図１１においては図示していないが、プリントコントローラ118は、先に説明したデータの変換だけでなく、画像形成装置内の各部や、光走査ユニット100内のポリゴンモータなどの制御、さらには4色の画像の位置合わせ（レジストレーション）などを行う。
【００９６】
［本発明の実施態様］
本発明の様々な例と実施形態が示され説明されたが、当業者であれば、本発明の趣旨と範囲は本明細書内の特定の説明と図に限定されるのではなく、本願特許請求の範囲に全て述べられた様々の修正と変更に及ぶことが理解されるであろう。
【００９７】
本発明の実施態様の例を以下に列挙する。
【００９８】
［実施態様１］
複数の光源手段から放射された複数の光束を、同一の光偏向器の異なる複数の偏向面で偏向走査し、該偏向走査した複数の光束で異なる複数の被走査面を各々走査する走査光学系において、
該複数の光源手段の個数は４ｎ個、該複数の光束は４ｎｍ本（但し、ｎとｍは正の整数）であり、
該複数の光束が該光偏向器に入射する各光束の入射光路が、該光偏向器の回転軸を含む面の副走査断面及び光偏向器の回転軸に垂直な面の主走査断面のそれぞれに対して対称であることを特徴とする走査光学系。
【００９９】
［実施態様２］
前記複数の光束が前記光偏向器の偏向面に入射するときの各光束間の相対角度は、主走査断面と副走査断面で異なることを特徴とする実施態様１記載の走査光学系。
【０１００】
［実施態様３］
前記複数の光源手段から放射された複数の光束毎に各々光学素子が設けられており、該複数の光学素子は一体的に構成されて複合結像素子を構成しており、該複合結像素子は前記光源手段と前記光偏向器の間に設けられており、該複合結像素子を構成する複数の光学素子は、該複数の光束を各々前記偏向面又はその近傍に線像を形成することを特徴とする実施態様１記載の走査光学系。
【０１０１】
［実施態様４］
前記複合結像素子を構成する複数の光学素子は各々主走査断面と副走査断面のパワーが異なることを特徴とする実施態様３記載の走査光学系。
【０１０２】
［実施態様５］
前記複合結像素子は副走査断面内にパワーを有するシリンダーレンズを含むことを特徴とする実施態様３又は４記載の走査光学系。
【０１０３】
［実施態様６］
前記複合結像素子を構成する１つの光学素子の副走査断面における焦点距離をＦｓ、該複合結像素子の副走査断面における光学素子の光軸間の相対角度を２θ、該複合結像素子上での副走査断面における光学素子の光軸間の距離を２Ｌとするとき、
０．７＜（Ｌ／ｓｉｎθ）／Ｆｓ＜１．３
となる条件を満足することを特徴とする実施態様３，４又は５記載の走査光学系。
【０１０４】
［実施態様７］
前記複合結像素子は第１、第２の複合結像素子を有し、該第１の複合結像素子によって前記光偏向器の第１の偏向面に複数の光束を入射させ、該第２の複合結像素子によって該光偏向器の第２の偏向面に別の複数の光束を入射させ、同時に偏向走査し異なる複数の被走査面を走査することを特徴とする実施態様３乃至６の何れか１項に記載の走査光学系。
【０１０５】
［実施態様８］
前記複合結像素子は第１、第２の複合結像素子を有し、該第１の複合結像素子によって前記光偏向器の第１の偏向面に複数の光束を入射させ、第２複合結像素子によって前記第１の偏向面に別の複数の光束を入射させ、同時に偏向走査し異なる複数の被走査面を走査することを特徴とする実施態様３乃至６の何れか１項に記載の走査光学系。
【０１０６】
［実施態様９］
前記第１の複合結像素子と第２の複合結像素子は一体的に構成されていることを特徴とする実施態様７又は８記載の走査光学系。
【０１０７】
［実施態様１０］
前記光偏向器で偏向走査された光束の一部を同期検知手段に導くための同期検知光学素子が前記複合結像素子と一体的に構成されていることを特徴とする実施態様３乃至９の何れか１項に記載の走査光学系。
【０１０８】
［実施態様１１］
前記同期検知光学素子は副走査断面内において、前記複合結像素子を構成する光学素子と離隔されていることを特徴とする実施態様１０記載の走査光学系。
【０１０９】
［実施態様１２］
前記複数の光学素子は各々入射面と出射面のいづれか一方がアナモフィックな面、他方が回転対称面もしくは平面であり、該複数の光学素子はそれぞれの光軸が、直交する２つの平面のそれぞれに対し対称になるように配置されていることを特徴とする実施態様３乃至１１の何れか１項に記載の走査光学系。
【０１１０】
［実施態様１３］
複数の光源手段から放射された複数の光束を、副走査断面内で異なる角度で光偏向器の偏向面に入射させ、該偏向面で偏向走査し該偏向走査した複数の光束で被走査面を各々走査する走査光学系において、
該複数の光源手段からの放射された複数の光束毎に光学素子が設けられており、該複数の光学素子は一体的に構成されて複合結像素子を構成しており、該複合結像素子は該光源手段と該光偏向器との間に設けられており、該複合結像素子を構成する複数の光学素子は、複数の光束を各々偏向面に導光しており、
該複数の光学素子のうち２つの光学素子の光軸と、該偏向面の法線との成す角α１、α２は該２つの光学素子間で互いに異なっていることを特徴とする走査光学系。
【０１１１】
［実施態様１４］
前記複合結像素子を構成する複数の光学素子は各々主走査断面と副走査断面のパワーが異なることを特徴とする実施態様１３記載の走査光学系。
【０１１２】
［実施態様１５］
前記複合結像素子は副走査断面内にパワーを有するシリンダーレンズを含むことを特徴とする実施態様１３記載の走査光学系。
【０１１３】
［実施態様１６］
前記複合結像素子を構成する１つの光学素子の副走査断面における焦点距離をＦｓ、該複合結像素子の副走査断面における光学素子の光軸間の相対角度を２θ、該複合結像素子上での副走査断面における光学素子の光軸間の距離を２Ｌとするとき、
０．７＜（Ｌ／ｓｉｎθ）／Ｆｓ＜１．３
となる条件を満足することを特徴とする実施態様１３、１４又は１５記載の走査光学系。
【０１１４】
［実施態様１７］
前記複合結像素子は第１、第２の複合結像素子を有し、該第１の複合結像素子によって前記光偏向器の第１の偏向面に複数の光束を入射させ、該第２の複合結像素子によって該光偏向器の第２の偏向面に別の複数の光束を入射させ、同時に偏向走査し異なる複数の被走査面を走査することを特徴とする実施態様１３乃至１６の何れか１項に記載の走査光学系。
【０１１５】
［実施態様１８］
前記複合結像素子は第１、第２の複合結像素子を有し、該第１の複合結像素子によって前記光偏向器の第１の偏向面に複数の光束を入射させ、第２複合結像素子によって前記第１の偏向面に別の複数の光束を入射させ、同時に偏向走査し異なる複数の被走査面を走査することを特徴とする実施態様１３乃至１６の何れか１項に記載の走査光学系。
【０１１６】
［実施態様１９］
前記第１の複合結像素子と第２の複合結像素子は一体的に構成されていることを特徴とする実施態様１７又は１８記載の走査光学系。
【０１１７】
［実施態様２０］
前記光偏向器で偏向走査された光束の一部を同期検知手段に導くための同期検知光学素子が前記複合結像素子と一体的に構成されていることを特徴とする実施態様１３乃至１９の何れか１項に記載の走査光学系。
【０１１８】
［実施態様２１］
前記同期検知光学素子は副走査断面内において、前記複合結像素子を構成する光学素子と離隔されていることを特徴とする実施態様２０記載の走査光学系。
【０１１９】
［実施態様２２］
前記複数の光学素子は各々入射面と出射面のいづれか一方がアナモフィックな面、他方が回転対称面もしくは平面であり、該複数の光学素子はそれぞれの光軸が、直交する２つの平面のそれぞれに対し対称になるように配置されていることを特徴とする実施態様１３乃至２１の何れか１項に記載の走査光学系。
【０１２０】
［実施態様２３］
入射面と出射面のいづれか一方がアナモフィックな面、他方が回転対称面もしくは平面である光学素子を複数個有し、該複数の光学素子はそれぞれの光軸が、直交する２つの平面のそれぞれに対し対称になるように配置され、かつ一体的に構成されていることを特徴とする複合結像素子。
【０１２１】
［実施態様２４］
実施態様１乃至２２の何れか１項に記載の走査光学系と、前記被走査面に配置された感光体と、前記走査光学系で走査された光束によって前記感光体上に形成された静電潜像をトナー像として現像する現像器と、現像されたトナー像を被転写材に転写する転写器と、転写されたトナー像を被転写材に定着させる定着器とを有することを特徴とする画像形成装置。
【０１２２】
［実施態様２５］
実施態様１乃至２２の何れか１項に記載の走査光学系と、外部機器から入力したコードデータを画像信号に変換して前記走査光学系に入力せしめるプリンタコントローラとを有していることを特徴とする画像形成装置。
【０１２３】
【発明の効果】
本発明によれば前述の如く光偏向器に入射する複数の光束の入射光路が、該光偏向器の回転軸を含む面の副走査断面及び光偏向器の回転軸に垂直な面の主走査断面のそれぞれに対して対称となるように構成することにより、部品点数を削減し、簡易な構成で装置全体の小型化を図ることができる走査光学系及びそれを用いた画像形成装置を達成することができる。
【図面の簡単な説明】
【図１】本発明の実施形態１の副走査断面図
【図２】本発明の実施形態１の入射光学系の副走査断面図
【図３】本発明の実施形態１の入射光学系の主走査断面図
【図４】本発明の実施形態１の複合結像素子の正面図
【図５】本発明の実施形態２の入射光学系の副走査断面図
【図６】本発明の実施形態３の入射光学系の副走査断面図
【図７】本発明の実施形態４の入射光学系の模式図
【図８】本発明の実施形態５の入射光学系の主走査断面図
【図９】本発明の実施形態５の入射光学系の副走査断面図
【図１０】本発明の実施形態５の複合結像素子の正面図
【図１１】本発明の実施形態６の画像形成装置の要部概略図
【図１２】従来の画像形成装置の要部概略図
【図１３】従来の画像形成装置の要部概略図
【図１４】従来の画像形成装置の要部概略図
【符号の説明】
１ａ，１ｂ，１ｃ，１ｄ  光源手段
２ａ，２ｂ，２ｃ，２ｄ  集光レンズ（コリメーターレンズ）
３ａ，３ｂ，３ｃ，３ｄ  絞り
４，１４，２４    複合結像素子
４ａ，４ｂ，４ｃ，４ｄ  光学素子(シリンダーレンズ)
４ｅ  ＢＤレンズ
５  光偏向器（ポリゴンミラー）
６ａ  第１の結像レンズ（ｆθレンズ）
６ｂ１，６ｂ２  第２の結像レンズ（ｆθレンズ）
７ａ，７ｂ，７ｃ，７ｄ  折り返しミラー
８ａ，８ｂ  感光体
９  光学箱
Ｅ１，Ｅ２，Ｅ３，Ｅ４  走査光束
１０  ＢＤレンズ
１１  ＢＤスリット
１２  ＢＤセンサー
【図１】
2004205640.tif 000003
【図２】
2004205640.tif 000004
【図３】
2004205640.tif 000005
【図４】
2004205640.tif 000006
【図５】
2004205640.tif 000007
【図６】
2004205640.tif 000008
【図７】
2004205640.tif 000009
【図８】
2004205640.tif 000010
【図９】
2004205640.tif 000011
【図１０】
2004205640.tif 000012
【図１１】
2004205640.tif 000013
【図１２】
2004205640.tif 000014
【図１３】
2004205640.tif 000015
【図１４】
2004205640.tif 000016